(57)【要約】      （修正有）【課題】車椅子に座した人や片手の不自由な人などのハンディキャップを持った人が、安全に使用可能な簡易構造の手動式靴磨き具を提供する。【解決手段】定置台本体１ａは、上面が車椅子ｋに座した人の片足に着用された靴ｓの下面を受け止める広さの水平面とされている。定置台本体１ａで受け止められた靴ｓの前半部を挿入される領域の左右の各側面及び上面を覆うように覆い部材２が、定置台本体１ａに固定されている。覆い部材２の上面箇所には、固設された軸ケース３と、軸ケース３に回転自在に内挿された回転軸４と、回転軸４の上端に固定され軸ケース３よりも高く位置され車椅子ｋに座した人の一方の手で回転操作される回転入力ハンドル６とが設けられ、覆い部材２の内方にはブラシ５が回転軸４の下端に固定されている。【選択図】図４
0003150268.tif 000002
【実用新案登録請求の範囲】
【請求項１】
着用された靴の下面を受け止める定置台と、該定置台に固定され該靴の前半部を左右及び上面を覆う覆い部材と、該覆い部材の上面を挿通し鉛直方向周りに回転する直状の回転軸と、該覆い部材の内方に位置し前記回転軸の下端に固定されたブラシと、車椅子に座した人が手を水平に伸ばした範囲内の高さにある該回転軸の上端に固定され回転操作される回転入力ハンドルと、該覆い部材の上面と該回転入力ハンドルの間の回転軸を覆い、該覆い部材に固設された直状の軸ケースとからなることを特徴とする手動式靴磨き具。
【請求項２】
前記定置台の平面視大きさは、人に着用された靴の仮面の全範囲を受け止める大きさであることを特徴とする請求項１記載の手動式靴磨き具。
【請求項３】
前記軸ケースが５０ｃｍ〜８０ｃｍの範囲内の長さであることを特徴とする請求項１又は２記載の手動式靴磨き具。
【考案の詳細な説明】
【技術分野】
【０００１】
本考案は、手動でブラシを回転させ、回転中のブラシに靴を接触させることにより靴磨きが行えるようにした手動式靴磨き具に係り、特に身体にハンディを負った人が容易かつ危険無く使用できる手動式靴磨き具に関する。
【背景技術】
【０００２】
ブラシや磨掃絨布を回転させて靴を磨く靴磨き具として、例えば特許文献１、２に開示されているようなものが知られている。
【０００３】
特許文献１によれば、靴挿入側の反対側となる箇所の比較的低い位置に手で回転操作される把手が設けられ、把手の回転が覆函内に装設された増速用の歯車や回転軸を介して、磨掃絨布の縫着されたスプリング板に伝達され、回転中の磨掃絨布に着用状態の靴を接触させる。靴挿入側の反対側に磨掃絨布を回転させる把手が設けられており、靴の着用者自身が操作するというよりも、覆函を挟んで相対した者が覆函を操作するものである。
【０００４】
また特許文献２によれば、安定台上に取り付けられたブラシカバーと、ブラシカバーから回転自在に起立された回転軸と、該回転軸の下端に固定されブラシカバーの下面側に配置されたブラシと、回転軸の上端に該回転軸を回転可能に位置保持するための握りハンドルと、回転軸に連動連結され水平軸回りへ回転される回転ハンドルと、回転ハンドルの回転の向きを９０度変更して回転軸に伝達する歯車機構とを備え、靴磨き時には、靴の着用者が一方の手で握りハンドルを把持して手動式靴磨き具の姿勢を保持し、他方の手で回転ハンドルを回転操作することでブラシを回転させ、回転中のブラシに該着用者の着用した靴を接触させる。
【０００５】
この特許文献２に開示された手動式靴磨き具は、特許文献１のものと相違し、靴の着用者自身が覆函を操作することができるようになっている。しかしながら、靴の着用者自身が握りハンドル及び回転ハンドルの双方を把持する必要があり、また、握りハンドルは回転軸により支持されているため、握りハンドルをしっかりと把持していないと、手動式靴磨き具が転倒しそうになったときに、とっさに支える場所が回転中の回転軸となりかねず、車椅子に座した人や一方の手の不自由な人にとっては使用し難い。
【先行技術文献】
【特許文献】
【０００６】
【特許文献１】実公昭１２−１０４５８号公報
【特許文献２】実開昭６３−４２３７４号公報
【考案の概要】
【考案が解決しようとする課題】
【０００７】
本考案は、車椅子に座した人や片手の不自由な人などが、一人で靴磨きをすることに対処し得る構造簡易な手動式靴磨き具を提供することを目的としている。
【課題を解決するための手段】
【０００８】
上記目的を達成するため、本考案に係る手動式靴磨き具は、着用された靴の下面を受け止める定置台と、該定置台に固定され該靴の前半部を左右及び上面を覆う覆い部材と、該覆い部材の上面を挿通し鉛直方向周りに回転する直状の回転軸と、該覆い部材の内方に位置し前記回転軸の下端に固定されたブラシと、車椅子に座した人が手を水平に伸ばした範囲内の高さにある該回転軸の上端に固定され回転操作される回転入力ハンドルと、該覆い部材の上面と該回転入力ハンドルの間の回転軸を覆い、該覆い部材に固設された直状の軸ケースとからなることを特徴とする。
【考案の効果】
【０００９】
本考案によれば、車椅子に座した人や、片手の不自由な人などであっても自身の着用した靴の下面の大部分で定置台を床面などの水平支持面上に踏み押さえて本考案品の姿勢を安定化させ、この状態を保持しつつ片手で回転入力ハンドルを回転操作することにより、定置台上の自身の靴を、回転入力ハンドルに連動して回転するブラシで簡便に摺擦し磨くことができる。
【００１０】
そして回転軸は軸ケースで覆われているため、回転入力ハンドルから手が離れ転倒しかかったときにも定置台や覆い部材と同体状に固定された状態の軸ケースを片手で握る、或いは振り払うことにより、転倒の防止や、自身に倒れ掛かってくることを防止することができる。
【図面の簡単な説明】
【００１１】
【図１】本考案に係る手動式靴磨き具を正面側の斜め上方から見た斜視図である。
【図２】上記手動式靴磨き具の断面視説明図である。
【図３】上記手動式靴磨き具のブラシを水平状に拡げた状態を示す斜視図である。
【図４】上記手動式靴磨き具の使用状態を示す斜視説明図である。
【考案を実施するための形態】
【００１２】
図１は本考案に係る手動式靴磨き具を正面の斜め上方から見た図であり、図２は該手動式靴磨き具の側面視断面図である。これら図１及び図２において、１は床面などの水平支持面上に定置される定置台、２は定置台１に固定された覆い部材、３は覆い部材２の上面中央寄り箇所に起立状に固設された筒状の軸ケース、４は軸ケース３に回転自在に内挿された回転軸、５は回転軸４の下端に装着されたブラシ、６は回転軸４の上端に固定された回転入力ハンドルである。
【００１３】
定置台１は、幅ａ１が２５ｃｍ〜３５ｃｍの範囲内であり、長さａ２が２５ｃｍ〜４５ｃｍの範囲内である床面に対して水平状の長方形板からなる本体部１Ａと、本体部１Ａの下面の四隅に固設されたゴム材又はこれと同等材からなる支持脚部材７とからなっている。本体部１Ａは金属材製又は合成樹脂材製の何れであってもよいが、靴ｓを着用した人がその靴ｓで本体部１Ａを踏み押さえたとき手動式靴磨き具全体を押さえ付けるに十分な強度をもっている。また、本体部１Ａの上面は片足に着用された靴ｓの下面の大部分を受け止め（全部でありそれよりも広いことが望ましい）、靴ｓを通して手動式靴磨き具を利用する者の体重が作用する力点を含む広さを少なくとも有している。
【００１４】
覆い部材２は長方形の金属板を概ね台形断面の形成されるようにドーム状に屈曲することにより左右の側面部２ａ、２ｂ及び上面部２ｃを形成すると共に左右両端縁を内側へ屈曲し比較的細幅の接合面部ｂ１、ｂ１を形成した構成とされており、また左右の下端部間の最大幅を本体部１Ａの幅ａ１に合致され、長さｃ１を１５０ｍｍ〜２５０ｍｍの範囲内とされ、高さｃ２を１５０ｍｍ〜２００ｍｍの範囲内とされている。左右の接合面部ｂ１、ｂ１は本体部１Ａの上面に当接され複数の止めネジ３で本体部１Ａに結合され固定されている。上面部２ｃの中央寄り位置には回転軸４の下端部を挿通させるための透孔ｄ１が形成されている。
【００１５】
軸ケース３は、長さが５０ｃｍ〜８０ｃｍの範囲内であり内径が４０ｍｍ程度の直状の管部材からなり、透孔ｄ１と同心に、覆い部材２の上面部２ｃに起立状に固定されている。軸ケース３は、覆い部材２と回転入力ハンドル6の間に存在し、回転軸４を覆っている。
【００１６】
軸ケース３の上端面には環状板ｅ１が固着されており、該環状板ｅ１上に軸受８がボルトを介して固定されている。軸ケース３の下端部内方にも軸受９が嵌着され位置決めされている。これら軸受８、９はボールベアリングを具備した転がり式のものであってもよいし、或いはボールベアリングを具備しない滑り式のものであってもよい。回転軸４は直状の金属棒からなり、その直径は１０ｍｍ程度であって、軸ケース３に内挿されると共に２つの軸受８、９を介して軸ケース３内の一定高さ位置での回転自在に支持されている。この回転軸４は全長の大部分が軸ケース３内に位置されており、上端の雄ネジ部分４ａ及びこれの下側近傍箇所が軸受８よりも上方へ張り出されると共に下端部４ｂの比較的短い部分が透孔ｄ１を通じて覆い部材２の下面側へ張り出されている。回転入力ハンドル6が取り付けられる回転軸４の端部（上端の雄ネジ部分４ａ）の高さは、車椅子に着座した者が水平に腕を伸ばしたときに手が届く高さである。回転軸４の下端面の中央位置にはネジ孔ｆ１が形成されている。
【００１７】
ブラシ５は綿糸或いは、レーヨン糸又はポリエステル糸などの化繊糸からなる撓曲自在な多数の線状部材５ａで形成されている。ブラシ５を回転すると、遠心力の程度により線状部材５ａが図２中ｍ１に示すように水平状に広がり、広範囲の靴磨きを実行できる。ここに綿糸、レーヨン糸又はポリエステル糸は市場から得られやすく、靴の汚れ除去に優れ、しかも安価且つ耐久性にも優れるものである。図３はブラシ５の一具体例を示している。図３に示すものは、線状部材５ａを縦線ｇ１回りの放射方向へ多数配列して全体形状を円盤状に形成すると共に上方視中央部の円範囲５ｂを一体状に結合し、且つ、線状部材５ａの上下方向の配列厚さを数十ｍｍ程度にすると共に、上方視中央位置に取付用の透孔５ｃを形成したものとされている。各線状部材５ａの長さは覆い部材２の寸法や回転軸４の配置などに関連して定める。ブラシ５は回転軸４の下端に脱着可能に固定されるのであり、図示例では、円範囲５ｂの上下にワッシャ６ａ、６ｂが配置されると共に、透孔５ｃ及びワッシャ６ａ、６ｂに差し込まれたボルト１０が回転軸４のネジ孔ｆ１に螺入された構造となっている。
【００１８】
回転入力ハンドル６は、透孔ｊ１の形成された環形本体部材１１と、環形本体部材１１の外周箇所に固定された縦支軸１２回りの回転自在に設けられた把手部１３とからなっている。環形本体部材１１は、回転軸４の雄ネジ部４ａ近傍に透孔ｊ１を外嵌された状態で雄ネジ部分４ａにナット１４を螺着されることにより、回転軸４の上端部に固定されている。環形本体部材１１に代えて、単なる円形板又はこれを切り抜いて作成したものを使用してもよく、このようにすれば回転入力ハンドル６が安価なものとなる。
【００１９】
次に図を参照しながら、上記した手動式靴磨き具の使用例及び各部の作用について説明する。車椅子ｋに座した歩行の不自由な人が車椅子ｋの走行移動により手動式靴磨き具Ｔに近づいた後、自身の任意な一方の手で軸ケース３を把持して、手動式靴磨き具Ｔを使い易い位置及び方向に据え直す。
【００２０】
次に自身が着用した片足の靴ｓの下面の全体又は大部分が定置台１の上面に受け止められるように且つ、靴ｓの前寄り箇所が覆い部材２及びブラシ５の下方に位置するように載置する。そして、定置台１上の靴ｓの着用された片足で定置台１の上面を踏み押さえるようにする。これにより定置台１の四隅の支持脚部材７が床面に圧接され、手動式靴磨き具Ｔは定置台１を介して床面上に正立姿勢で安定的に位置保持された状態となる。
【００２１】
次に一方の手で把手部１３を持ち回転入力ハンドル６を回転操作して回転軸４を回転させる。このさい、手動式靴磨き具Ｔが片足の踏み力で正立姿勢に保持されるため、回転入力ハンドル６は把手部１３を持った片手のみで円滑に回転される。回転入力ハンドル６の回転は回転軸４及びブラシ５を同体状に回転させる。磨き処理の終了した側の足を定置台１から降ろし、車椅子ｋを移動させて、もう片足を定置台１上に載置し、先と同様に磨く。
【００２２】
以上のような使用の過程で、定置台１の踏み込みが甘く、手動式靴磨き具Ｔの安定が損なわれてそれが転倒しかかる場合であっても、軸ケース３を把持すれば軸ケース３が定置台１及び覆い部材２と同体状に固定されていることから、手動式靴磨き具Ｔの転倒が阻止される。
【００２３】
上記説明では車椅子ｋに座した人が手動式靴磨き具Ｔを使用する場合について説明したが、健常者などが片足に着用した靴で立姿のまま定置台１を踏み押さえ、下方に降ろした手で回転入力ハンドル６を回転させ、使用することも可能である。
【００２４】
上記手動式靴磨き具において、定置台１が、幅を２５ｃｍ〜３５ｃｍの範囲内とされ、長さを２５ｃｍ〜４５ｃｍの範囲内とされていることは、車椅子ｋに座した人が、手動式靴磨き具Ｔと車椅子ｋとの干渉などに煩わされることなく、靴ｓの前部及び後部の表面を簡便且つ確実に磨き処理することを可能とする。
【００２５】
また軸ケース３が５０ｃｍ〜８０ｃｍの範囲内の長さとなっていることは、車椅子ｋに座した人が定置台１をこれに載せ靴ｓを着用した片足で踏み押さえることにより得られる安定起立状態の下で、回転入力ハンドル６を片手で回転させることができる。
【００２６】
さらに軸ケース３が回転軸４の全長の大部分を包囲しているので、靴磨きをする人の着用した衣類が回転中の回転軸４に巻き付くのを防止し、手動式靴磨き具Ｔが転倒しかかった場合にも軸ケース３の把持を行いやすくするものである。
【００２７】
尚、上記実施例においては、覆い部材２が前後端面を開放状態とされているが、これに代えて、靴挿入側の反対側となる端面を閉鎖した形態としても良い。
【符号の説明】
【００２８】
１  定置台
２  覆い部材
３  軸ケース
４  回転軸
５  ブラシ
６  回転入力ハンドル
【図１】
0003150268.tif 000003
【図２】
0003150268.tif 000004
【図３】
0003150268.tif 000005
【図４】
0003150268.tif 000006